(57)【要約】【課題】冊子の表側あるいは裏側のどちらからでもめくり易い冊子を提供する。【解決手段】複数枚の用紙Ｐを重層しそれらの一端部を綴じた冊子１のその一端部以外の端部に、表面側の用紙Ｐによってその裏面側の用紙Ｐの表面を表出する方向に傾斜する第一傾斜面ＳＬ１と、表面側の用紙Ｐによってその裏面側の用紙Ｐの表面を隠蔽する方向に傾斜する第二傾斜面ＳＬ２とを形成するようにした。【選択図】図１
2004034625.tif 000002
【特許請求の範囲】
【請求項１】
複数枚の用紙を重層しそれらの一端部を綴じた冊子であって、前記一端部以外の端部に、表面側の用紙によってその裏面側の用紙の表面を表出する方向に傾斜する第一傾斜面と、表面側の用紙によってその裏面側の用紙の表面を隠蔽する方向に傾斜する第二傾斜面とを形成していることを特徴とする冊子。
【請求項２】
前記第一傾斜面と第二傾斜面とを同一の端部に形成していることを特徴とする請求項１記載の冊子。
【請求項３】
各傾斜面を形成する表面側の用紙の端縁とその裏面側の用紙の端縁とが用紙の重合方向で重合する重合点を有し、この重合点で、前記第一傾斜面と第二傾斜面とを連続させていることを特徴とする請求項２記載の冊子。
【請求項４】
前記用紙のうち綴じた端部の端縁と対向し前記第一傾斜面を形成する端部における端縁との距離を、最表面の用紙から最裏面の用紙に向かって漸次大きくなるように形成する一方、前記綴じた端縁とこの端縁と対向し前記第二傾斜面を形成する端部における端縁との距離を、最表面の用紙から最裏面の用紙に向かって漸次小さくなるように形成していることを特徴とする請求項２又は３記載の冊子。
【請求項５】
前記用紙の一方の側端部を綴じ、この側端部と対向する側端部に、前記第一傾斜面及び第二傾斜面を形成していることを特徴とする請求項２、３又は４記載の冊子。
【請求項６】
前記重層した用紙の最表面側の用紙の表面あるいは最裏面側の用紙の裏面の少なくとも一方に配置してその用紙の一端部と共に綴じる表紙部を設け、前記一端部以外の表紙部の端部における端縁に、前記第一傾斜面の一部を構成するとともにこの表紙部と隣接する用紙の表面を表出する表出縁と、前記第二傾斜面の一部を構成するとともにこの表紙部と隣接する用紙の表面を隠蔽する隠蔽縁とを形成していることを特徴とする請求項１、２、３、４又は５記載の冊子。
【発明の詳細な説明】
【０００１】
【発明の属する技術分野】
本発明は、複数枚の用紙を重層して綴じた構成の冊子に関するものである。
【０００２】
【従来の技術】
従来、冊子は、複数枚の用紙を重層しその一端部を糊付け等により綴じるとともにこの一端部以外の三方の側端部に断ち口を形成し、この断ち口を開けて使用できるように構成したものが一般的に知られている。そしてこのような断ち口は、冊子を引出しや書棚に好適に収納したりまた見栄えを良くしたりするために、その断ち口面が重層した用紙の表面と直角をなすように一直線に形成されている。また、このように重層した用紙の最表面や最裏面のいずれか一方または両方に表紙部を設け、この表紙部の内側に位置付けた用紙を好適に保護するようにしたものも知られている。
【０００３】
【発明が解決しようとする課題】
ところが、以上のような構成では、用紙をめくるために断ち口に指をかけた場合、その断ち口で各用紙の側端縁が表面及び裏面と略直交して揃った状態にあるためうまく指がかからず、特に指に油分が無い際等には、用紙をめくり難いといった問題点があった。また、用紙の一部をその綴じた方向へ湾曲させることにより用紙の線端縁間にズレを生じさせ、このズレに指をかけて用紙をめくるといった使用態様がとられる場合もあるが、用紙自体が硬かったりまた用紙より厚めの表紙部が設けられたりしているもの等ではこのような使用態様を取りづらく、簡単に用紙をめくることができないといった問題点があった。このように、これまでの冊子は、用紙をめくり難いという使用者にとって不具合な状況が存在していた。
【０００４】
そこで本発明は、上述した不具合を解決し、めくり易い冊子の提供を主たる目的とするものである。
【０００５】
【課題を解決するための手段】
すなわち、本発明に係る冊子は、複数枚の用紙を重層しそれらの一端部を綴じた冊子であって、前記一端部以外の端部に、表面側の用紙によってその裏面側の用紙の表面を表出する方向に傾斜する第一傾斜面と、表面側の用紙によってその裏面側の用紙の表面を隠蔽する方向に傾斜する第二傾斜面とを形成していることを特徴とする。
【０００６】
このようなものであれば、冊子を閉じた状態で、例えば机の天板面等に用紙の表面が平行となるように置いた際には、第一傾斜面あるいは第二傾斜面のうちいずれか一方の傾斜面が、上側の用紙の端部がその下側の用紙の端部を隠蔽するように位置付けられることとなり、上側の用紙とその下側の用紙とに若干のズレが形成され、このズレに手や指をかけて容易に用紙をめくることができるようになる。また、冊子を見開いた状態で、例えば机の天板面等にこの冊子を置いた際には、第一傾斜面と第二傾斜面とが冊子の両端部にそれぞれ位置付けられることとなり、その両端部に上側の用紙とその下側の用紙とに若干のズレが形成され、このズレに手や指をかけて容易に用紙をめくることができるようになる。すなわち、冊子を綴じた場合や見開いた場合あるいはその置き方等、冊子の状態に関係なく容易に用紙をめくることができるため、ストレス無く冊子を使うことができる。
【０００７】
なお、冊子の表面または裏面のいずれの面からでも用紙をめくり易い構成としては、前記第一傾斜面と第二傾斜面とを同一の端部に形成していることが望まく、これら第一傾斜面と第二傾斜面とを形成する具体的な方法としては、各傾斜面を形成する表面側の用紙の端縁とその裏面側の用紙の端縁とが用紙の重合方向で重合する重合点を有し、この重合点で、前記第一傾斜面と第二傾斜面とを連続させたものが挙げられる。
【０００８】
また、本実施形態の望ましい実施態様としては、前記用紙のうち綴じた端部の端縁と対向し前記第一傾斜面を形成する端部における端縁との距離を、最表面の用紙から最裏面の用紙に向かって漸次大きくなるように形成する一方、前記綴じた端縁とこの端縁と対向し前記第二傾斜面を形成する端部における端縁との距離を、最表面の用紙から最裏面の用紙に向かって漸次小さくなるように形成したものが挙げられる。
【０００９】
なお、前記用紙の一方の側端部を綴じ、この側端部と対向する側端部に、前記第一傾斜面及び第二傾斜面を形成すれば、その対向する側端部を見開いて好適に使用可能となる。
【００１０】
ところで、綴じた用紙を保護したり装飾したりあるいは内容表示を好適に行うためには、前記重層した用紙の最表面側の用紙の表面あるいは最裏面側の用紙の裏面の少なくとも一方に配置してその用紙の一端部と共に綴じる表紙部を設け、前記一端部側以外の表紙部の端部における端縁に、前記第一傾斜面の一部を構成するとともにこの表紙部と隣接する用紙の表面を表出する表出縁と、前記第二傾斜面の一部を構成するとともにこの表紙部と隣接する用紙の表面を隠蔽する隠蔽縁とを形成していることが好ましい。
【００１１】
【発明の実施の形態】
以下、本発明の一実施形態について図面を参照して説明する。
【００１２】
図１は、本実施形態における冊子１の概観を正面図で示している。また、図２は、図１に示した破断線Ａ−Ａ及びＢ−Ｂにおける断面を示す図である。
【００１３】
本実施形態における冊子１は、図１及び図２に示すように、複数枚の用紙Ｐ１、Ｐ２、・・・、Ｐｎ（以下、「Ｐ」と総称する。）と、この用紙Ｐと正面視略同一の形状を有しその最表面側と最裏面側とを覆うように設けた表裏一体をなす表表紙部Ｃ１及び裏表紙部Ｃ２とを具備するものであって、これら各部を背側端部Ｂ１に設けた背表紙部Ｃ３で糊付け等によって接着している。そして、冊子１の上下の断ち口Ｔ１、Ｇ１を厚み方向に沿って断裁して形成するとともに、冊子１の前側端部Ｆ１に、表面側の用紙Ｐによってその裏面側の用紙Ｐの表面を表出する方向に傾斜する第一傾斜面ＳＬ１と、表面側の用紙Ｐによってその裏面側の用紙Ｐの表面を隠蔽する方向に傾斜する第二傾斜面ＳＬ２とを形成している。なお、本実施形態では、綴じた側端部側を背側Ｂ、この背側Ｂと対向する側端部側を前側Ｆとし、また、冊子１の長手方向を上下方向と定義し、さらに、用紙Ｐを見開いた場合にはそのとき表出する面をその用紙Ｐの表面と定義して説明を行う。
【００１４】
以下、各部の具体的構成について説明する。
【００１５】
用紙Ｐは、例えば、Ａ４やＢ５等の規格に略対応して正面視略長方形状を有する紙製のものであって、各用紙Ｐの背側端縁ＰＢ及び上下端縁ＰＴ、ＰＧを重層したときその厚み方向で揃うように断裁している。そして、用紙Ｐの前側端縁ＰＦは、用紙Ｐを重ねたとき、表面側の用紙Ｐの前側端縁ＰＦとその裏面側の用紙Ｐの前側端縁ＰＦとが用紙Ｐを重層する方向において重合する重合点Ｘを前側端縁ＰＦ中央部に一箇所有するように、それぞれの用紙Ｐにおいてその前側端縁ＰＦと背側端縁ＰＢとの距離ｄが用紙Ｐの上端部側と下端部側とで異なるように湾曲させている。
【００１６】
さらに詳述すると、各用紙Ｐの前側端縁ＰＦを、前記重合点Ｘより上端部側で、表面側の用紙Ｐの前側端縁ＰＦと背側端縁ＰＢとの距離ｄが、その裏面側の用紙Ｐの前側端縁ＰＦと背側端縁ＰＢとの距離ｄよりも小さくなるように形成し、一方、この重合点Ｘより下端部側で、表面側の用紙Ｐの前側端縁ＰＦと背側端縁ＰＢとの距離ｄが、その裏面側の用紙Ｐの前側端縁ＰＦと背側端縁ＰＢとの距離ｄよりも大きくなるように形成している。このように前側端縁ＰＦと背側端縁ＰＢとの距離ｄを異なるように形成した複数枚の用紙Ｐを重層することにより、冊子１の表面側に表出する第一傾斜面ＳＬ１と冊子１の表面側に表出しない第二傾斜面ＳＬ２とが、前記重合点Ｘで連続しかつ冊子１の上端部側及び下端部側に位置付けられるようにして形成される。
【００１７】
表表紙部Ｃ１は、前記複数枚の用紙Ｐと上下方向に略同一の寸法を有するとともにこの用紙Ｐを保護し得る機能を有するものであって、その前側Ｆの上端部側及び下端部側に最表面側用紙Ｐ１の表面を表面側に表出する表出縁Ｃ１１とその最表面側用紙Ｐ１の表面を表面側に隠蔽する隠蔽縁Ｃ１２とを備えている。なお、これら表出縁Ｃ１１と隠蔽縁Ｃ１２とは、この表表紙部Ｃ１と用紙Ｐとを重層させたときに前記重合点Ｘと平面視重合する位置にて連続するように構成している。
【００１８】
裏表紙部Ｃ２は、前記複数枚の用紙Ｐと上下方向に略同一の寸法を有するとともにこの用紙を保護し得る機能を有するものであって、その前側Ｆの上端部側及び下端部側に最裏面側用紙Ｐの裏面を裏面側に表出する表出縁Ｃ２１とその最裏面側用紙Ｐの裏面を裏面側に隠蔽する隠蔽縁Ｃ２２とを備えている。なお、これら表出縁Ｃ２１と隠蔽縁Ｃ２２とは、この裏表紙部Ｃ２と用紙Ｐとを重層させたときに前記重合点Ｘと平面視重合する位置にて連続するように構成している。
【００１９】
背表紙部Ｃ３は、前記複数枚の用紙Ｐと表表紙部Ｃ１と裏表紙部Ｃ２の各部と上下方向に略同一の寸法を有し、これら各部を冊子１の背側端部Ｂ１で一体的に覆うように接着するとともに複数枚の用紙Ｐがその背側端縁ＰＢを基端として、用紙Ｐの所望の部分を見開くことができるように構成している。なお、本実施形態では、表表紙部Ｃ１の表面Ｃ１０に位置付ける背表紙部Ｃ３の表面側の側端縁Ｃ３１を、表表紙部Ｃ１の背側端縁Ｃ１Ｂより前側Ｆに位置付けて配置することにより、表表紙部Ｃ１と背表紙部Ｃ３との接着面積を大きくし、これら各部の取付強度を上げている。また、裏表紙部Ｃ２の裏面Ｃ２０に位置付ける背表紙部Ｃ３の裏面側の側端縁Ｃ３２を裏表紙部Ｃ２の背側端縁Ｃ２Ｂより前側Ｆに位置付けて配置することにより、裏表紙部Ｃ２と背表紙部Ｃ３との接着面積を大きくし、これら各部の取付強度を同様に上げている。
【００２０】
次に、本実施形態の冊子１においてその用紙Ｐをめくる際の操作について説明する。
【００２１】
まず、図２に示すように、冊子１を閉じた状態で、用紙Ｐの表面が図示しない机の天板面等と平行となるように置いた場合、第一傾斜面ＳＬ１は冊子１の表面側に表出し、第二傾斜面ＳＬ２は冊子の表面側に表出せずに位置付けられることとなる。このように位置付けられた第二傾斜面ＳＬ２を形成する用紙Ｐの各前側端縁ＰＦは、その下側の用紙Ｐの表面を隠蔽する方向に位置付けられているため、下側の用紙Ｐの前側端縁ＰＦとに好適なズレを有し、このズレに指をかけて簡単に用紙Ｐをめくることができる。一方、第一傾斜面ＳＬ１を形成する用紙Ｐの各前側端縁ＰＦは、その下側の用紙Ｐの表面を表出する方向に位置付けられているため、第一傾斜面ＳＬ１を形成する各前側端縁ＰＦに指をかけることは困難ではあるが、この第一傾斜面ＳＬ１には、図１に示すように、それぞれの用紙Ｐの前側端縁ＰＦによって規則正しい縦縞状の紋様が形成され、さざなみを思わせる視覚的にゆるやかでここちよい優れたデザインが奏されることとなる。
【００２２】
ところで、用紙Ｐの表面を下向きにして机の天板面等と平行となるように置いた場合、第二傾斜面ＳＬ２は冊子１の表面側に表出し、第一傾斜面ＳＬ１は冊子の表面側に表出せずに位置付けられることとなるが、この第一傾斜面ＳＬ１と第二傾斜面ＳＬ２とは対称に形成されているため、上述したものと同様の作用効果を得られる。
【００２３】
このように、冊子１を閉じた状態で机の天板面等と平行となるように冊子１を置いた場合には、その表面の向きが上向き下向きにかかわらず容易に用紙Ｐをめくることができる。また、視覚的にも優れた冊子１を提供することができる。
【００２４】
次に、図３に示すように、冊子１を見開いた状態で図示しない机の天板面等に冊子１を置いた状態で用紙Ｐをめくる方法について説明する。
【００２５】
冊子１を見開いた状態で机の天板面等に置いた場合には、見開いた冊子１の左側の上端部側に第二傾斜面ＳＬ２と下端部側に第一傾斜面ＳＬ１が形成され、一方、見開いた冊子１の右側の上端部側に第一傾斜面ＳＬ１と下端部側に第二傾斜面ＳＬ２が形成される。
【００２６】
このように冊子１の左側の上端部側と右側の下端部側とに位置付けられた第二傾斜面ＳＬ２を構成する用紙Ｐの各前側端縁ＰＦは、その下側の用紙Ｐの表面を隠蔽する方向に位置付けられているため、下側の用紙Ｐの前側端縁ＰＦとに好適なズレを有し、このズレに指をかけて簡単に用紙Ｐをめくることができる。
【００２７】
しかして、左側から右側に用紙Ｐを送るときには、冊子１の左側の第二傾斜面ＳＬ２に指をかけ、一方、右側から左側に用紙Ｐを送るときには、冊子１の右側の第二傾斜面ＳＬ２に指をかけることにより、左右いずれの方向からでも簡単に用紙Ｐをめくることができる。
【００２８】
さらに、図３に実線で示すように、手の甲を上に向けた状態で小指Ｕ５の関節等を利用して用紙Ｐをめくったり、人差し指Ｕ２の側端部Ｕ２１でめくったり、また、図３に想像線で示すように、指の腹を上向けた状態で指の先端部Ｕ０を利用して用紙Ｐをめくったりすることもできる。
【００２９】
以上のように、用紙Ｐをめくるとき手や指の状態に関係なく好適に用紙Ｐをめくることができる。
【００３０】
また、図４に示すように、用紙Ｐの前側端縁ＰＦ等に指をかけ、任意の枚数の用紙Ｐの前側端縁ＰＦをその背側Ｂに湾曲させた場合には、その湾曲させた前側端縁ＰＦによって第一傾斜面ＳＬ１が形成される。そしてこの第一傾斜面ＳＬ１における各用紙Ｐの前側端縁Ｆ間のズレ幅ｄｘは、本実施形態のように傾斜面ＳＬ１、ＳＬ２を備えない冊子を同様に湾曲させた場合と比べ大きくなるため、各用紙Ｐを一枚一枚容易にめくることができる。
【００３１】
以上に詳述したように、本実施形態の冊子１は、冊子を閉じた状態あるいは開いた状態いずれの状態においても、第一傾斜面ＳＬ１あるいは第二傾斜面ＳＬ２に各用紙Ｐの前側端縁ＰＦで形成されるズレに指等を好適にかけて用紙Ｐを簡単にめくることができる。また、任意の枚数の用紙Ｐの前側端縁ＰＦを、その背側Ｂに湾曲させれば、各傾斜面ＳＬ１あるいは第二傾斜面ＳＬ２を形成する前側端縁ＰＦ間のズレ幅ｄｘが、本実施形態のように傾斜面ＳＬ１、ＳＬ２を備えない冊子を同様に湾曲させた場合と比べ大きくなるため、各用紙Ｐを一枚一枚容易にめくることができる。
【００３２】
なお、本実施形態では、表表紙部Ｃ１と裏表紙部Ｃ２とを用紙Ｐの最表面側と最裏面側とを覆うように設けたが、これら表表紙部Ｃ１や裏表紙部Ｃ２をいずれか一方側に設けなかったり、また両側ともに設けなかったりしてもよい。
【００３３】
また、第一傾斜面ＳＬ１と第二傾斜面ＳＬ２とを冊子１の前側Ｆに形成しているが、これに限らず、第一傾斜面を冊子の上側の断ち口に形成し第二傾斜面を冊子の下側の断ち口に形成してもよい。さらに、綴じた端部と対向する端部に第一傾斜面及び第二傾斜面を冊子の厚み方向で対面させて配置した実施態様も考えられる。さらにまた、用紙の端縁を曲線状に形成し各傾斜面を湾曲するように形成しても構わない。そして各傾斜面を、綴じてないいずれの端部に配置してもよい。
【００３４】
さらに、各傾斜面ＳＬ１、ＳＬ２を形成する表側の用紙Ｐの前側端縁ＰＦとその裏面側の用紙Ｐの前側端縁ＰＦとが重合する重合点Ｘを一箇所としたが、複数箇所の重合点Ｘを有する実施態様も考えられる。
【００３５】
また、重層した複数枚の用紙Ｐを、背表紙部Ｃ３を用いて表表紙部Ｃ１及び裏表紙部Ｃ２とともに接着しこれらの背側端部Ｂ１を綴じるように構成していたが、綴じる方法はこれに限らず、例えば、重層した複数枚の各用紙Ｐの一枚一枚を自由に綴じたり取りはずしたりできる綴じ具を用いるといった実施態様も考えられる。
【００３６】
なお、本実施形態では用紙Ｐを、Ａ４やＢ５等の規格に略対応するものとしたが規格以外のもので構成することもできる。また、用紙Ｐ等のデザインを適宜行うことにより本発明の冊子を、例えば、ノート、メモ用紙、レポート用紙、便箋、伝票、領収書、帳簿、電話帳、本等として利用可能である。さらに、用紙Ｐや表紙部Ｃ１、Ｃ２の一部あるいは全部を例えばプラスチック製のもの等で構成しても構わない。
【００３７】
その他、各部の具体的構成についても上記実施形態に限られるものではなく、本発明の趣旨を逸脱しない範囲で種々変形が可能である。
【００３８】
【発明の効果】
以上に詳述したように本発明によれば、冊子を閉じた状態あるいは開いた状態いずれの状態においても、第一傾斜面あるいは第二傾斜面に各用紙の前側端縁で形成されるズレに指等を好適にかけて用紙を簡単にめくることができるためストレス無く用紙をめくることのできる使い易い冊子を提供することができる。また、任意の枚数の用紙の前側端縁を、その背側側に湾曲させれば、各傾斜面あるいは第二傾斜面を形成する前側端縁間のズレ幅が、本実施形態のように傾斜面を備えない冊子を同様に湾曲させた場合と比べ大きくなるため、各用紙を一枚一枚容易にめくることが可能な冊子を提供することができる。さらに、第一傾斜面あるいは第二傾斜面を形成する用紙の前側端縁によって規則正しい縦縞状の紋様が表出するため、さざなみを思わせる視覚的にゆるやかでここちよい優れたデザインを有する冊子を提供することができる。
【図面の簡単な説明】
【図１】本発明の実施形態における冊子の正面図。
【図２】同実施形態における要部の断面と傾斜面に指をかけた使用態様を示す概略断面図。
【図３】同実施形態における使用態様の概観を示す図
【図４】同実施形態における使用態様の概観を示す図
【符号の説明】
１・・・冊子
Ｂ１・・・一端部（背側端部）
Ｃ１・・・表紙部（表表紙部）
Ｃ２・・・表紙部（裏表紙部）
Ｃ１１、Ｃ２１・・・表出縁
Ｃ１２、Ｃ２２・・・隠蔽縁
ｄ・・・距離
Ｆ１・・・一端部以外の端部（前側端部）
Ｐ（Ｐ１、Ｐ２、・・・、Ｐｎ）・・・用紙
Ｐ１・・・最表面の用紙
ＰＦ・・・用紙の側端縁（前側端縁）
Ｐｎ・・・最裏面の用紙
ＳＬ１・・・第一傾斜面
ＳＬ２・・・第二傾斜面
Ｘ・・・重合点
【図１】
2004034625.tif 000003
【図２】
2004034625.tif 000004
【図３】
2004034625.tif 000005
【図４】
2004034625.tif 000006
【手続補正書】
【提出日】平成15年8月8日(2003.8.8)
【手続補正１】
【補正対象書類名】明細書
【補正対象項目名】請求項３
【補正方法】変更
【補正の内容】
【請求項３】
各傾斜面を形成する表面側の用紙の端縁とその裏面側の用紙の端縁とが用紙の重層方向で重合する重合点を有し、この重合点で、前記第一傾斜面と第二傾斜面とを連続させていることを特徴とする請求項２記載の冊子。
【手続補正２】
【補正対象書類名】明細書
【補正対象項目名】０００６
【補正方法】変更
【補正の内容】
【０００６】
このようなものであれば、冊子を閉じた状態で、例えば机の天板面等に用紙の表面が平行となるように置いた際には、第一傾斜面あるいは第二傾斜面のうちいずれか一方の傾斜面が、上側の用紙の端部がその下側の用紙の端部を隠蔽するように位置付けられることとなり、上側の用紙とその下側の用紙とに若干のズレが形成され、このズレに手や指をかけて容易に用紙をめくることができるようになる。また、冊子を見開いた状態で、例えば机の天板面等にこの冊子を置いた際には、第一傾斜面と第二傾斜面とが冊子の両端部にそれぞれ位置付けられることとなり、その両端部に上側の用紙とその下側の用紙とに若干のズレが形成され、このズレに手や指をかけて容易に用紙をめくることができるようになる。すなわち、冊子を閉じた場合や見開いた場合あるいはその置き方等、冊子の状態に関係なく容易に用紙をめくることができるため、ストレス無く冊子を使うことができる。


【手続補正３】
【補正対象書類名】明細書
【補正対象項目名】０００７
【補正方法】変更
【補正の内容】
【０００７】
なお、冊子の表面または裏面のいずれの面からでも用紙をめくり易い構成としては、前記第一傾斜面と第二傾斜面とを同一の端部に形成していることが望まく、これら第一傾斜面と第二傾斜面とを形成する具体的な方法としては、各傾斜面を形成する表面側の用紙の端縁とその裏面側の用紙の端縁とが用紙の重層方向で重合する重合点を有し、この重合点で、前記第一傾斜面と第二傾斜面とを連続させたものが挙げられる。


【手続補正４】
【補正対象書類名】明細書
【補正対象項目名】００１８
【補正方法】変更
【補正の内容】
【００１８】
裏表紙部Ｃ２は、前記複数枚の用紙Ｐと上下方向に略同一の寸法を有するとともにこの用紙を保護し得る機能を有するものであって、その前側Ｆの上端部側及び下端部側に最裏面側用紙Ｐｎの裏面を裏面側に表出する表出縁Ｃ２１とその最裏面側用紙Ｐｎの裏面を裏面側に隠蔽する隠蔽縁Ｃ２２とを備えている。なお、これら表出縁Ｃ２１と隠蔽縁Ｃ２２とは、この裏表紙部Ｃ２と用紙Ｐとを重層させたときに前記重合点Ｘと平面視重合する位置にて連続するように構成している。